(57)【要約】      （修正有）【課題】不凍水栓と水道用水栓とを季節に応じて切り替えたことを簡単に確認することを可能にするための不凍水栓切換確認用キャップを提供する。【解決手段】不凍水栓切換確認用キャップ１１であって、側壁の前壁１１ａに通常の水道用水栓に係合する小さな凹部１２ａと、小さな凹部の下部に設けた大きな凹部１２ｂとからなる段差を有する開口部を設け、前壁下部に水道用水栓の開口部１２と、その側面下部に補助水栓用の開口部１３を設けた。キャップの天板１１ｅには、不凍水栓の頂部がはめ込まれる収納凹部１５を設けた。【選択図】図６
0003232149.tif 000002
【実用新案登録請求の範囲】
【請求項１】
前面下部に蛇口用の開口部を設けたキャップからなる不凍水栓切換確認用キャップであって、
通常の水道用水栓と不凍水栓とが近接して連結され、不凍水栓が通常の水道用水栓と同様に回して水量を調節することができる水栓において、夏場にはこのキャップを不凍水栓に取り付けて通常の水道用水栓のみを使用できるようにするとともに、
冬場にはこのキャップを通常の水道用水栓に取り付けて不凍水栓のみを使用できるようにすることにより、
不凍水栓と水道用水栓の利用を夏季や冬季等の季節に応じて切り替えたことが確認できるようにしたことを特徴とする不凍水栓切換確認用キャップ。
【請求項２】
このキャップの側壁は、その前面に通常の水道用水栓に係合する小さな凹部と、小さな凹部の下部に設けた大きな凹部とからなる段差を有する開口部を設けたことを特徴とする請求項１に記載の不凍水栓切換確認用キャップ。
【請求項３】
このキャップの側壁は、その背面下部に水道用水栓の開口部と、その側面下部に補助水栓用の開口部を設けたことを特徴とする請求項１または請求項２に記載の不凍水栓切換確認用キャップ。
【請求項４】
このキャップの天板には、不凍水栓の頂部がはめ込まれる収納凹部を設けたことを特徴とする請求項１ないし請求項３のいずれかに記載の不凍水栓切換確認用キャップ。
【考案の詳細な説明】
【技術分野】
【０００１】
本考案は、不凍水栓と水道用水栓とを季節に応じて切り替えて使用することを可能にするための不凍水栓切換確認用キャップに関するものである。
【背景技術】
【０００２】
従来、この種の不凍水栓と水道用水栓とは、屋外において併設されており、夏季には不凍水栓を開いておいて水道用水栓を使用し、冬季には水道用水栓を開いて不凍水栓を使用するようになっている。ところが、冬季に水道用水栓を使用してしまった場合には、水道水の凍結によって水道用水栓が破裂してしまって使用できなくなるという問題が生じていた。
【０００３】
また、不凍水栓と水道用水栓とを季節に応じて切り替えて使用するため不凍水栓切換マークのついたものも市販されているようだが、せいぜい不凍水栓を冬季に画一的に９０°回すことができるように構成されているに過ぎないものであった。
【先行技術文献】
【特許文献】
【０００４】
【特許文献１】特になし。
【考案の概要】
【考案が解決しようとする課題】
【０００５】
そこで解決しようとする問題点は、不凍水栓と水道用水栓とを季節に応じて切り替えて使用するための不凍水栓切換確認用のキャップであって、極めて操作が簡単で、不凍水栓と水道用水栓とを季節に応じて切り替えたことが確認できる不凍水栓切換確認用キャップを提供しようとするものである。
【課題を解決するための手段】
【０００６】
すなわちこの考案の不凍水栓切換確認用キャップは、通常の水道用水栓と不凍水栓とが近接して連結された水道用水栓において、不凍水栓が通常の水栓と同様に回して水量を調節することができる構造であり、夏場にはこのキャップを不凍水栓に取り付けて通常の水道用水栓のみを使用できるようにし、冬場にはこのキャップを通常の水道用水栓に取り付けて不凍水栓のみを使用できるようにしたものであって、前記不凍水栓切換確認用キャップを通常の水道用水栓に取り付け可能なように前面下部に蛇口用の開口部を設けたことを特徴とするものである。
【０００７】
この考案の不凍水栓切換確認用キャップにおいて、前記水栓用キャップの側壁は、その前面に通常の水道用水栓用に係合する小さな凹部と、小さな凹部の下部に設けた大きな凹部とからなる段差を有する開口部を設けたことをも特徴とするものである。
【０００８】
この考案の不凍水栓切換確認用キャップの側壁は、その背面下部に水道用水栓の開口部と、その側面下部に補助水栓用の開口部をそれぞれ設けたことをも特徴とするものである。
【０００９】
この考案の不凍水栓切換確認用キャップは、天板に不凍水栓の頂部がはめ込まれる収納凹部を設けたことをも特徴とするものである。
【考案の効果】
【００１０】
すなわちこの考案の不凍水栓切換確認用キャップは、通常の水道用水栓と不凍水栓とが近接して連結された水道用水栓において、不凍水栓が通常の水栓と同様に回して水量を調節することができる構造であり、夏場にはこのキャップを不凍水栓に取り付けて通常の水道用水栓のみを使用できるようにし、冬場にはこのキャップを通常の水道用水栓に取り付けて不凍水栓のみを使用できるようにしたものであって、このキャップを通常の水道用水栓に取り付け可能なように前面下部に蛇口用の開口部を設けたものである。
したがって、不凍水栓と水道用水栓の利用を季節に応じて切り替えたことが確認できる不凍水栓切換確認用キャップを提供することができる。
【００１１】
またこの考案の不凍水栓切換確認用キャップは、側壁がその前面に通常の水道用水栓用に係合する小さな凹部と、小さな凹部の下部に設けた大きな凹部とからなる段差を有する開口部を設けてあり、このキャップはスムーズに水道用水栓にはめ込むことができる。
【００１２】
この考案のキャップの側壁は、その背面下部に水道用水栓の開口部と、その側面下部に補助水栓用の開口部をそれぞれ設けてあり、キャップをスムーズに補助水栓にはめ込むことができる。
【００１３】
この考案の不凍水栓切換確認用キャップは、天板に不凍水栓の頂部がはめ込める収納凹部を設けてあり、スムーズに不凍水栓の上からはめ込むことができる。
【図面の簡単な説明】
【００１４】
【図１】この考案の不凍水栓切換確認用キャップの１実施例を示す概略正面図である。
【図２】その概略右側面図である。
【図３】その概略背面図である。
【図４】その概略左側面図である。
【図５】その概略平面図である。
【図６】その概略斜視図である。
【図７】この考案の不凍水栓切換確認用キャップを不凍水栓に被せようとする状態の概略斜視図である。
【図８】この考案の不凍水栓切換確認用キャップを不凍水栓に被せた状態の概略斜視図である。
【図９】この考案の不凍水栓切換確認用キャップを水道用水栓に被せようとする状態の概略斜視図である。
【図１０】この考案の不凍水栓切換確認用キャップを水道用水栓に被せた状態の概略斜視図である。
【考案を実施するための形態】
【００１５】
本考案の不凍水栓切換確認用キャップの実施の形態を図面を用いて詳細に説明する。
本考案の不凍水栓切替確認用キャップは、図１に示すように、キャップ１１が通常の水道用水栓２１に取り付け可能なように、前面下部に蛇口用の開口部１２を設けたものである。
またさらに、前記キャップ１１の前壁１１ａに設けた蛇口用の開口部１２が、その前面に通常の水道用水栓２１に係合する小さな凹部１２ａと、小さな凹部１２ａの下部に設けた大きな凹部１２ｂとからなる段差を有するようになっており、前記キャップ１１をスムーズかつ確実に水道用水栓２１にはめ込むことができる。
【００１６】
またこの考案の不凍水栓切換確認用キャップは、図２に示すように、前記キャップ１１の側壁１１ｂの下部に補助水栓２２用の開口部１３を、また図３に示すように、前記キャップ１１の後壁１１ｃの下部に水道用水栓２１用の開口部１４を設けてあり、したがって前記キャップ１１をスムーズに水道用水栓２１および補助水栓２２にはめ込むことができる。
図４は前記キャップ１１の側壁１１ｄの下部には開口部が設けられていない状態を示すものである。
【００１７】
さらにこの考案の不凍水栓切換確認用キャップは、図５に示すように、前記キャップ１１の天板１１ｅに、不凍水栓３１の頂部３２がはめ込める収納凹部１５を設けてあり、前記キャップ１１は不凍水栓３１の上部にきっちりとはめ込むことができる。図６は、前記キャップ１１の概略斜視図である。
【００１８】
次に、この考案の不凍水栓切換確認用キャップを不凍水栓または水道用水栓に適用する方法について説明する。
まず、下記においては、図７および図８に示すように、前記キャップ１１が不凍水栓３１にはめ込まれる。その際、不凍水栓３１の頂部３２を収納凹部１５内に確実にはめ込める。
もちろん、夏季においては前記水道用水栓２１に前記キャップ１１が取り付けられていないため、水道用水栓２１は自由に使用することができる。
【００１９】
他方、冬季においては、図９および図１０に示すように、前記キャップ１１が水道用水栓２１にはめ込まれる。
すなわち、前記キャップ１１の前壁１１ａに設けた蛇口用の開口部１２に水道用水栓２１が、前記キャップ１１の側壁１１ｂの下部に設けた補助水栓用の開口部１３に補助水栓２２が、前記キャップ１１の後壁１１ｃの下部に設けた水道用水栓用の開口部１４に水道用水栓２１がはめ込んであるので、長期間設置していても位置がずれることなく、前記キャップ１１を確実に前記水道用水栓２１にはめ込むことができる。
【００２０】
以上のように、夏季においては前記キャップ１１が不凍水栓３１にはめ込まれ、冬季においては前記水道用水栓２１に前記キャップ１１がはめ込まれている。
したがって、不凍水栓３１と水道用水栓２１の利用を夏季や冬季等の季節に応じて切り替えたことが確認でき、本考案の不凍水栓切換確認用キャップを目印として誤操作を防ぎ、かつ水道用水栓２１の故障を確実に防止することができる。
【産業上の利用可能性】
【００２１】
以上のように、夏季においては前記キャップが不凍水栓にはめ込まれ、冬季においては水道用水栓に前記キャップがはめ込まれている。
したがって、冬季においての水道用水栓の凍結によって使用できなくなるという問題を、水道用水栓にこのキャップをはめ込み、不凍水栓を開放するという簡単な作業で確実に防止することができ、従来の水道用水栓の凍結や破裂という大きな問題を未然に予防することができ、非常に有用である。
【符号の説明】
【００２２】
１１  水栓用キャップ
１１ａ  前壁
１１ｂ  側壁
１１ｃ  後壁
１１ｄ  側壁
１１ｅ  天板
１２  水道用水栓用の開口部
１２ａ  小さな凹部
１２ｂ  大きな凹部
１３  補助水栓用の開口部
１４  水道用水栓用の開口部
１５  収納凹部
２１  水道用水栓
２２  補助水栓
３１  不凍水栓
３２  頂部
【図１】
0003232149.tif 000003
【図２】
0003232149.tif 000004
【図３】
0003232149.tif 000005
【図４】
0003232149.tif 000006
【図５】
0003232149.tif 000007
【図６】
0003232149.tif 000008
【図７】
0003232149.tif 000009
【図８】
0003232149.tif 000010
【図９】
0003232149.tif 000011
【図１０】
0003232149.tif 000012